(57)【要約】【課題】原稿や記録用紙等の持ち帰り忘れを防止すること。【解決手段】画像形成後にユーザが持ち帰る対象物を検出する複数の通知側センサ（ＳＮ１〜ＳＮ７）と、前記通知側センサ（ＳＮ１〜ＳＮ７）の検出結果に基づいてユーザに通知を行うか否かの判別を開始するための判別開始条件を記憶する判別開始条件記憶手段（Ｃ１Ａ）と、前記判別開始条件を満足したか否かを判別する判別開始条件判別手段（Ｃ１Ｂ）と、前記通知側センサ（ＳＮ１〜ＳＮ７）の検出結果に基づいて、前記ユーザに通知するか否かを判別するための通知条件を記憶する通知条件記憶手段（Ｃ１Ｃ）と、前記判別開始条件を満足した場合に、前記通知条件を満足するか否かを判別する通知条件判別手段（Ｃ１Ｄ）と、前記通知条件を満足した場合に、ユーザに通知を行う通知手段（Ｃ４）と、を備えた画像形成装置（Ｐｒ１）。【選択図】図２
2007171585.tif 000002
【特許請求の範囲】
【請求項１】
画像形成後にユーザが持ち帰る対象物を検出する複数の通知側センサと、
前記通知側センサの検出結果に基づいてユーザに通知を行うか否かの判別を開始するための判別開始条件を記憶する判別開始条件記憶手段と、
前記判別開始条件を満足したか否かを判別する判別開始条件判別手段と、
前記通知側センサの検出結果に基づいて、前記ユーザに通知するか否かを判別するための通知条件を記憶する通知条件記憶手段と、
前記判別開始条件を満足した場合に、前記通知条件を満足するか否かを判別する通知条件判別手段と、
前記通知条件を満足した場合に、ユーザに通知を行う通知手段と、
を備えたことを特徴とする画像形成装置。
【請求項２】
複数の前記通知側センサの優先順位を記憶するセンサ優先順位記憶手段と、
優先順位が高い前記通知側センサの検出結果に基づいて、ユーザに前記優先順位の高い通知側センサが検出する対象物の持ち帰りを通知する前記通知手段と、
を備えたことを特徴とする請求項１に記載の画像形成装置。
【請求項３】
前記判別開始条件を満足し且つ、前記各通知側センサが前記対象物を検出した場合に、ユーザに各対象物の持ち帰りを通知するか否かを記憶する通知有無記憶手段、
を備えたことを特徴とする請求項１または２に記載の画像形成装置。
【請求項４】
前記判別開始条件を満足し且つ、前記各通知側センサが前記物体を検出した場合に、ユーザに各対象物の持ち帰りを通知するか否かを設定する通知有無設定手段と、
前記通知有無設定手段による設定を記憶する前記通知有無記憶手段と、
を備えたことを特徴とする請求項３に記載の画像形成装置。
【請求項５】
前記画像形成装置に着脱可能な前記通知側センサと、
前記通知側センサの着脱を検出するセンサ検出手段と、
前記通知側センサを検出した場合に、前記通知するか否かの標準設定を記憶する通知標準設定記憶手段と、
前記通知側センサを検出した場合に、前記通知標準設定記憶手段に記憶された標準設定に自動的に設定する前記通知有無設定手段と、
を備えたことを特徴とする請求項４に記載の画像形成装置。
【請求項６】
警告ランプを点灯することにより通知を行う前記通知手段、
を備えたことを特徴とする請求項１ないし５のいずれかに記載の画像形成装置。
【請求項７】
通知メッセージ画像を情報表示画面に表示することにより通知を行う前記通知手段、
を備えたことを特徴とする請求項１ないし６のいずれかに記載の画像形成装置。
【請求項８】
ネットワークを介して接続された情報処理装置に、前記通知メッセージの電子メールやログデータを送信することによって前記通知を実行することにより通知を行う前記通知手段、
を備えたことを特徴とする請求項１ないし７のいずれかに記載の画像形成装置。
【請求項９】
複数の監視側センサ、
を備えたことを特徴とする請求項１ないし８のいずれかに記載の画像形成装置。
【発明の詳細な説明】
【技術分野】
【０００１】
本発明は、プリンタ、ＦＡＸ、複写機あるいはこれらのすべてまたは複数の機能を有する複写機等の画像形成装置に関し、特に、原稿や印刷された記録用紙、有料の画像形成装置を使用した場合の釣り銭、認証を行うためのＩＤカード等の画像形成後にユーザが持ち帰る対象物を検出するセンサを備えた画像形成装置に関する。
【背景技術】
【０００２】
プリンタ、ＦＡＸ、複写機等の画像形成装置において、コピー動作後にコピーされた記録用紙だけ持ち帰り、原稿を忘れてしまうことがある。他にも、コンビニエンスストア等の店舗に設置された複写機で記録用紙を持ち帰り、釣り銭を取り忘れることもある。
このような、ユーザの持ち帰り忘れを防止するための技術として、特許文献１（特開平５−５３３８５号公報）には、原稿検知手段と課金手段とを有する画像形成装置において、課金手段による課金処理終了後に原稿が残っている場合には、ブザー音等の警告信号を発生することで、ユーザに通知する技術が記載されている。
【０００３】
【特許文献１】特開平５−５３３８５号公報
【発明の開示】
【発明が解決しようとする課題】
【０００４】
（従来技術の問題点）
しかしながら、前記従来技術では、２つのセンサの検出結果の組み合わせにより通知を行っているため、多数のセンサがある場合には、対応できないという問題があった。したがって、実際には、オフィスのカウンタ管理やコンビニエンスストア等の課金管理等の個別の使用実態に応じて、個別に構成やシステムを開発する必要があった。
【０００５】
本発明は、前述の事情に鑑み、次の記載内容（Ｏ01），（Ｏ02）を技術的課題とする。
（Ｏ01）原稿や記録用紙等の持ち帰り忘れを防止すること。
（Ｏ02）使用実態に応じた適切な持ち帰り忘れを防止する構成を個別に開発することなく提供すること。
【課題を解決するための手段】
【０００６】
（本発明）
次に、前記課題を解決した本発明を説明するが、本発明の要素には、後述の実施の形態の具体例（実施例）の要素との対応を容易にするため、実施例の要素の符号をカッコで囲んだものを付記する。また、本発明を後述の実施例の符号と対応させて説明する理由は、本発明の理解を容易にするためであり、本発明の範囲を実施例に限定するためではない。
【０００７】
（第１発明）
前記技術的課題を解決するために、第１発明の画像形成装置（Ｐｒ１）は、
画像形成後にユーザが持ち帰る対象物を検出する複数の通知側センサ（ＳＮ１〜ＳＮ７）と、
前記通知側センサ（ＳＮ１〜ＳＮ７）の検出結果に基づいてユーザに通知を行うか否かの判別を開始するための判別開始条件を記憶する判別開始条件記憶手段（Ｃ１Ａ）と、
前記判別開始条件を満足したか否かを判別する判別開始条件判別手段（Ｃ１Ｂ）と、
前記通知側センサ（ＳＮ１〜ＳＮ７）の検出結果に基づいて、前記ユーザに通知するか否かを判別するための通知条件を記憶する通知条件記憶手段（Ｃ１Ｃ）と、
前記判別開始条件を満足した場合に、前記通知条件を満足するか否かを判別する通知条件判別手段（Ｃ１Ｄ）と、
前記通知条件を満足した場合に、ユーザに通知を行う通知手段（Ｃ４）と、
を備えたことを特徴とする。
【０００８】
（第１発明の作用）
前記構成要件を備えた第１発明の画像形成装置（Ｐｒ１）では、複数の通知側センサ（ＳＮ１〜ＳＮ７）は、画像形成後にユーザが持ち帰る対象物を検出する。判別開始条件記憶手段（Ｃ１Ａ）は、前記通知側センサ（ＳＮ１〜ＳＮ７）の検出結果に基づいてユーザに通知を行うか否かの判別を開始するための判別開始条件を記憶する。判別開始条件判別手段（Ｃ１Ｂ）は、前記判別開始条件を満足したか否かを判別する。通知条件記憶手段（Ｃ１Ｃ）は、前記通知側センサ（ＳＮ１〜ＳＮ７）の検出結果に基づいて、前記ユーザに通知するか否かを判別するための通知条件を記憶する。通知条件判別手段（Ｃ１Ｄ）は、前記判別開始条件を満足した場合に、前記通知条件を満足するか否かを判別する。通知手段（Ｃ４）は、前記通知条件を満足した場合に、ユーザに通知を行う。
【０００９】
したがって、第１発明の画像形成装置（Ｐｒ１）では、判別開始条件を満足した時に通知条件を満足するとユーザに通知が行われるので、原稿や印刷用紙等の持ち帰り忘れを防止することができる。また、判別開始条件を満足した時に、複数の通知側センサ（ＳＮ１〜ＳＮ７）に対して設定された通知条件を判別するので、従来技術のように、通知側センサ（ＳＮ１〜ＳＮ７）と監視側センサが１台ずつの場合と異なり、センサの数に限定されないので、使用実態に応じた適切な持ち帰り忘れを防止する構成を個別に開発することなく提供することができる。
【００１０】
（第１発明の形態１）
第１発明の形態１の画像形成装置（Ｐｒ１）は、前記第１発明において、
複数の前記通知側センサ（ＳＮ１〜ＳＮ７）の優先順位を記憶するセンサ優先順位記憶手段（Ｃ２Ｂ）と、
優先順位が高い前記通知側センサ（ＳＮ１〜ＳＮ７）の検出結果に基づいて、ユーザに前記優先順位の高い通知側センサ（ＳＮ１〜ＳＮ７）が検出する対象物の持ち帰りを通知する前記通知手段（Ｃ４）と、
を備えたことを特徴とする。
【００１１】
（第１発明の形態１の作用）
前記構成要件を備えた第１発明の形態１の画像形成装置（Ｐｒ１）では、センサ優先順位記憶手段（Ｃ２Ｂ）は、複数の前記通知側センサ（ＳＮ１〜ＳＮ７）の優先順位を記憶する。前記通知手段（Ｃ４）は、優先順位が高い前記通知側センサ（ＳＮ１〜ＳＮ７）の検出結果に基づいて、ユーザに前記優先順位の高い通知側センサ（ＳＮ１〜ＳＮ７）が検出する対象物の持ち帰りを通知する。したがって、優先順位の高い順位通知が行われるので、通知に応じて順次対象物を回収することができ、持ち帰り忘れを防止できる。
【００１２】
（第１発明の形態２）
第１発明の形態２の画像形成装置（Ｐｒ１）は、前記第１発明または第１発明の形態１において、
前記判別開始条件を満足し且つ、前記各通知側センサ（ＳＮ１〜ＳＮ７）が前記対象物を検出した場合に、ユーザに各対象物の持ち帰りを通知するか否かを記憶する通知有無記憶手段（Ｃ２Ａ）、
を備えたことを特徴とする。
（第１発明の形態２の作用）
前記構成要件を備えた第１発明の形態２の画像形成装置（Ｐｒ１）では、通知有無記憶手段（Ｃ２Ａ）は、前記判別開始条件を満足し且つ、前記各通知側センサ（ＳＮ１〜ＳＮ７）が前記対象物を検出した場合に、ユーザに各対象物の持ち帰りを通知するか否かを記憶する。したがって、記憶された通知の有無に応じて通知することができる。
【００１３】
（第１発明の形態３）
第１発明の形態３の画像形成装置（Ｐｒ１）は、第１発明の形態２において、
前記判別開始条件を満足し且つ、前記各通知側センサ（ＳＮ１〜ＳＮ７）が前記物体を検出した場合に、ユーザに各対象物の持ち帰りを通知するか否かを設定する通知有無設定手段（Ｃ２）と、
前記通知有無設定手段（Ｃ２）による設定を記憶する前記通知有無記憶手段（Ｃ２Ａ）と、
を備えたことを特徴とする。
（第１発明の形態３の作用）
前記構成要件を備えた第１発明の形態３の画像形成装置（Ｐｒ１）では、通知有無設定手段（Ｃ２）は、前記判別開始条件を満足し且つ、前記各通知側センサ（ＳＮ１〜ＳＮ７）が前記物体を検出した場合に、ユーザに各対象物の持ち帰りを通知するか否かを設定する。前記通知有無記憶手段（Ｃ２Ａ）は、前記通知有無設定手段（Ｃ２）による設定を記憶する。したがって、使用環境に応じて、通知を行うか否かを適切に設定することができる。
【００１４】
（第１発明の形態４）
第１発明の形態４の画像形成装置（Ｐｒ１）は、前記第１発明の形態３において、
前記画像形成装置（Ｐｒ１）に着脱可能な前記通知側センサ（ＳＮ１〜ＳＮ７）と、
前記通知側センサ（ＳＮ１〜ＳＮ７）の着脱を検出するセンサ検出手段（Ｃ３）と、
前記通知側センサ（ＳＮ１〜ＳＮ７）を検出した場合に、前記通知するか否かの標準設定を記憶する通知標準設定記憶手段（Ｃ３Ｂ）と、
前記通知側センサ（ＳＮ１〜ＳＮ７）を検出した場合に、前記通知標準設定記憶手段（Ｃ３Ｂ）に記憶された標準設定に自動的に設定する前記通知有無設定手段（Ｃ２）と、
を備えたことを特徴とする。
【００１５】
（第１発明の形態４の作用）
前記構成要件を備えた第１発明の形態４の画像形成装置（Ｐｒ１）では、センサ検出手段（Ｃ３）は、前記画像形成装置（Ｐｒ１）に着脱可能な前記通知側センサ（ＳＮ１〜ＳＮ７）の着脱を検出する。通知標準設定記憶手段（Ｃ３Ｂ）は、前記通知側センサ（ＳＮ１〜ＳＮ７）を検出した場合に、前記通知するか否かの標準設定を記憶する。前記通知有無設定手段（Ｃ２）は、前記通知側センサ（ＳＮ１〜ＳＮ７）を検出した場合に、前記通知標準設定記憶手段（Ｃ３Ｂ）に記憶された標準設定に自動的に設定する。したがって、通知側センサ（ＳＮ１〜ＳＮ７）の着脱を自動的に検出することができ、標準設定を自動的に設定できる。この結果、センサが増減しても容易に対応することができ、汎用性が高まる。
【００１６】
（第１発明の形態５）
第１発明の形態５の画像形成装置（Ｐｒ１）は、前記第１発明及び第１発明の形態１〜４のいずれかにおいて、
警告ランプ（ＫＬ）を点灯することにより通知を行う前記通知手段（Ｃ４）、
を備えたことを特徴とする。
（第１発明の形態５の作用）
前記構成要件を備えた第１発明の形態５の画像形成装置（Ｐｒ１）では、前記通知手段（Ｃ４）は、警告ランプ（ＫＬ）を点灯することにより通知を行うことができる。
【００１７】
（第１発明の形態６）
第１発明の形態６の画像形成装置（Ｐｒ１）は、前記第１発明及び第１発明の形態１〜５のいずれかにおいて、
通知メッセージ画像を情報表示画面（ＵＩ１）に表示することにより通知を行う前記通知手段（Ｃ４）、
を備えたことを特徴とする。
（第１発明の形態６の作用）
前記構成要件を備えた  第１発明の形態６の画像形成装置（Ｐｒ１）では、通知メッセージ画像を情報表示画面（ＵＩ１）に表示することにより通知を行うことができる。
【００１８】
（第１発明の形態７）
第１発明の形態７の画像形成装置（Ｐｒ１）は、前記第１発明及び第１発明の形態１〜６のいずれかにおいて、
ネットワーク（Ｎ）を介して接続された情報処理装置（Ｓｂ）に、前記通知メッセージの電子メールやログデータを送信することによって前記通知を実行することにより通知を行う前記通知手段（Ｃ４）、
を備えたことを特徴とする。
（第１発明の形態７の作用）
前記構成要件を備えた第１発明の形態７の画像形成装置（Ｐｒ１）では、ネットワーク（Ｎ）を介して接続された情報処理装置（Ｓｂ）に、前記通知メッセージの電子メールやログデータを送信することによって前記通知を実行することにより通知を行うことができる。
【００１９】
（第１発明の形態８）
第１発明の形態８の画像形成装置（Ｐｒ１）は、前記第１発明及び第１発明の形態１〜７のいずれかにおいて、
複数の監視側センサ（ＳＮ１〜ＳＮ８）、
を備えたことを特徴とする。
（第１発明の形態８の作用）
前記構成要件を備えた  第１発明の形態８の画像形成装置（Ｐｒ１）では、複数の監視側センサ（ＳＮ１〜ＳＮ８）を備えているので、様々な状況に応じた判別開始条件を使用することができる。
【発明の効果】
【００２０】
前述の本発明は、下記の効果（Ｅ01），（Ｅ02）を奏する。
（Ｅ01）原稿や記録用紙等の持ち帰り忘れを防止することができる。
（Ｅ02）使用実態に応じた適切な持ち帰り忘れを防止する構成を個別に開発することなく提供することができる。
【発明を実施するための最良の形態】
【００２１】
次に図面を参照しながら、本発明の実施の形態の具体例（実施例）を説明するが、本発明は以下の実施例に限定されるものではない。
なお、以後の説明の理解を容易にするために、図面において、前後方向をＸ軸方向、左右方向をＹ軸方向、上下方向をＺ軸方向とし、矢印Ｘ，−Ｘ，Ｙ，−Ｙ，Ｚ，−Ｚで示す方向または示す側をそれぞれ、前方、後方、右方、左方、上方、下方、または、前側、後側、右側、左側、上側、下側とする。
また、図中、「○」の中に「・」が記載されたものは紙面の裏から表に向かう矢印を意味し、「○」の中に「×」が記載されたものは紙面の表から裏に向かう矢印を意味するものとする。
【実施例１】
【００２２】
図１は本発明の実施例１の画像形成装置の全体説明図である。
図１において、本発明の実施例１の画像形成装置としてのデジタル複写機Ｐｒ１は、セルフサービスのコピーサービスを行う店舗内に設置されており、ネットワークＮ（一般公衆回線）を介して管理者サーバ（情報処理装置）Ｓｂに接続されている。また、複写機Ｐｒ１には、コピーサービスの利用料を課金するための課金装置ＫＳが接続され、店舗のレジスター（図示せず）にもケーブルを介して接続されている。さらに、複写機Ｐｒ１には、利用料を課金するプリペイドカードを読み取るプリペイドカード読み取り装置（プリペイドカードリーダ）ＰＣＲと、画像形成装置の管理を行う管理者等の認証を行うＩＤカードを読み取るＩＤカード読み取り装置（ＩＤカードリーダ）ＩＤＲとが接続されている。
【００２３】
前記複写機Ｐｒ１は、原稿画像を読みとる画像読み取り装置（スキャナ部）ＰｒＡと、画像読み取り装置ＰｒＡの画像読み取り位置に自動的に原稿を搬送する自動原稿搬送装置ＡＤＦと、読み取った画像を画像記録する画像記録部（プリンタ部）ＰｒＢとを有する。前記スキャナ部ＰｒＡの前面にはユーザインタフェースＵＩが設置されている。また、自動原稿搬送装置ＡＤＦとスキャナ部ＰｒＡとの間のスキャナ部ＰｒＡ上面には、１枚ずつ原稿をセットして読み取るためのプラテンガラス（図示せず）が設けられている。前記自動原稿搬送装置ＡＤＦは、読み取り前の原稿がセットされる原稿セットトレイＡＤＦ１と、読み取り後の原稿が排出される原稿排出トレイＡＤＦ２とを有する。前記画像記録部ＰｒＢには印刷用紙を給紙するための複数の給紙トレイＴＲと、画像記録部ＰｒＢとスキャナ部ＰｒＡとの間には排紙トレイ（出力トレイ）ＴＲｈが設けられている。
【００２４】
（実施例１の制御部の説明）
図２は、実施例１の画像形成装置、レジスター、管理者サーバの制御部分が備えている各機能をブロック図（機能ブロック図）で示した図である。
【００２５】
（レジスターの機能の説明）
レジスターは、店員が複写機の回りに人がいないと判断した時に、複写機に忘れ物（持ち帰り忘れた対象物（原稿や印刷用紙、釣り銭等））が無いかを確認するために入力する不在確認ボタンＦＫＢと、レジスターの不在確認ボタンＦＫＢが入力されたことを複写機Ｐｒ１に通知するボタン入力信号を送信するボタン入力信号送信手段ＲＣ１を有する。
（管理者サーバＳｂの機能の説明）
管理者サーバＳｂは、コンピュータ本体Ｈ１や、ディスプレイ（情報表示画面）Ｈ２、キーボートＨ３およびマウスＨ４により構成された入力装置、図示しないハードディスクドライブやＣＤ−ＲＯＭドライブ等を有している。管理者サーバＳｂのコンピュータ本体Ｈ１のハードディスクには、機能手段として、コピーサービスの利用時間外に忘れ物があった場合に、複写機Ｐｒ１から送信される通知情報（実施例１では電子メール）を受信する電子メール受信手段ＳＣ１が記憶されている。
【００２６】
（画像形成装置の制御部の説明）
図２において、実施例１の複写機Ｐｒ１のコントローラＣは、外部との信号の入出力および入出力信号レベルの調節等を行うＩ／Ｏ（入出力インターフェース）、必要な処理を行うためのプログラムおよびデータ等が記憶されたＲＯＭ（リードオンリーメモリ）やハードディスク、必要なデータを一時的に記憶するためのＲＡＭ（ランダムアクセスメモリ）、前記ＲＯＭ等に記憶されたプログラムに応じた処理を行うＣＰＵ（中央演算処理装置）、ならびにクロック発振器等を有するマイクロコンピュータにより構成されており、前記ＲＯＭ等に記憶されたプログラムを実行することにより種々の機能を実現することができる。
【００２７】
（前記コントローラＣに接続された信号入力要素）
前記コントローラＣは、ＵＩ（ユーザインタフェース）や、プラテン原稿検出センサＳＮ１、読み取り前原稿検出センサＳＮ２、読み取り後センサ検出センサＳＮ３、排紙トレイセンサＳＮ４、釣り銭有無センサＳＮ５、プリペイドカード有無センサＳＮ６、ＩＤカード有無センサＳＮ７、対人センサＳＮ８、プラテン開閉検出センサＳＮ９、その他、図示しない各種センサ（監視側センサ兼通知側センサ）等の信号入力要素からの信号が入力されている。
前記ＵＩは、表示器（情報表示画面）ＵＩ１や、コピースタートキーＵＩ２、テンキーＵＩ３、通知有無設定キーＵＩ４等の入力キーを備えており、それらが入力されたことを検出して、その検出信号をコントローラＣに入力する。
【００２８】
プラテン原稿検出センサＳＮ１は、読み取り原稿がセットされる画像読み取り装置ＰｒＡのプラテンガラスに原稿があるか否かを検出する。
読み取り前原稿検出センサＳＮ２は、自動原稿搬送装置ＡＤＦの原稿セットトレイＡＤＦ１に、画像読み取り装置ＰｒＡで読み取る前の原稿が残っているか否かを検出する。
読み取り後センサ検出センサＳＮ３は、自動原稿搬送装置ＡＤＦの原稿排出トレイＡＤＦ２に、画像読み取り装置ＰｒＡで読み取った後の原稿が残っているか否かを検出する。
排紙トレイセンサＳＮ４は、排紙トレイＴＲｈに出力された用紙が残っているか否かを検出する。
【００２９】
釣り銭有無センサＳＮ５は、課金装置ＫＳの釣り銭返却口ＫＳａに釣り銭が残っているか否かを検出する。
プリペイドカード有無センサＳＮ６は、プリペイドカード読み取り装置ＰＣＲにプリペイドカードが挿入されているか否かを検出する。
ＩＤカード有無センサＳＮ７は、ＩＤカード読み取り装置ＩＤＲにＩＤカードが挿入されているか否かを検出する。
対人センサＳＮ８は、複写機Ｐｒ１の付近にいる人を検出する。
プラテン開閉検出センサＳＮ９は、プラテンガラス上に原稿をセットまたは取出すために、画像読取装置ＰｒＡのプラテンガラスが開放、閉塞されたか否かを検出する。
【００３０】
（前記コントローラＣに接続された制御要素）
前記コントローラＣは、画像情報に応じて画像を形成し、原稿画像を読取る画像読取り装置（スキャナ部）ＰｒＡや、給紙トレイＴＲから給紙された用紙に画像を記録して排出トレイＴＲｈに排出する画像記録装置（プリンタ部）ＰｒＢ、自動原稿搬送装置ＡＤＦ、警告ランプＫＬ（通知部材）、その他の制御要素に接続されており、それらの作動制御信号を出力している。
【００３１】
（前記コントローラＣの機能）
前記コントローラＣは、前記各信号出力要素からの出力信号やネットワークＮを介して受信した情報、信号に応じた処理を実行して、前記各制御要素に制御信号を出力する機能（制御手段）を有している。前記コントローラＣの機能（制御手段）を次に説明する。
Ｃ１：通知判別手段
通知判別手段Ｃ１は、監視側判別開始条件記憶手段Ｃ１Ａと、監視側開始条件判別手段Ｃ１Ｂと、通知条件記憶手段Ｃ１Ｃと、通知条件判別手段Ｃ１Ｄと、判別時間計時手段Ｃ１Ｅと、現在時刻計時手段Ｃ１Ｆとを有し、ユーザに持ち帰り忘れを通知する条件が成立したか否かを判別する。
【００３２】
図３は実施例１の監視側判別開始条件と、通知側通知条件と、通知内容の一覧説明図である。
Ｃ１Ａ：監視側判別開始条件記憶手段
監視側判別開始条件記憶手段Ｃ１Ａは、前記通知側センサＳＮ１〜ＳＮ７の検出結果に基づいてユーザに通知を行うか否かの判別を開始するための判別開始条件を記憶する。実施例１の監視側判別開始条件記憶手段Ｃ１Ａは、判別開始条件として図３に示す判別開始条件を記憶している。したがって、監視側センサとしてのプラテン原稿検出センサＳＮ１では、コピースタートキーＵＩ２の入力がされ、プラテン開閉検出センサＳＮ９が開閉を検出した後に、プラテン原稿検出センサＳＮ１が原稿無しを検出することが判別開始条件となっており、コピースタートキーＵＩ２が入力され、プラテン開閉検出センサＳＮ９の開閉後に、原稿無しを検出すると判別開始条件を満足する。
【００３３】
読み取り前原稿検出センサＳＮ２や読み取り後センサ検出センサＳＮ３では、コピースタートキーＵＩ２の入力がされた後に、読み取り前原稿検出センサＳＮ２や読み取り後センサ検出センサＳＮ３が原稿無しを検出することが判別開始条件となっている。
排紙トレイセンサＳＮ４では、排紙トレイセンサＳＮ４により排紙トレイＴＲｈが空の状態（用紙無しの状態）が検出されたことが判別開始条件となっている。
釣り銭有無センサＳＮ５では、釣り銭有無センサＳＮ５が釣り銭有りの状態から、釣り銭無しを検出したことが判別開始条件となっている。
プリペイドカード有無センサＳＮ６やＩＤカード有無センサＳＮ７では、プリペイドカード有無センサＳＮ６やＩＤカード有無センサＳＮ７が、プリペイドカードやＩＤカードが取り出されたことを検出したことが判別開始条件となっている。
対人センサＳＮ８では、複写機Ｐｒ１近傍に人が検出されなくなったことが判別開始条件となっている。
その他、現在時刻が利用時間外（実施例１では２０：００〜翌６：００）になったことや、レジスターの不在確認ボタン（後述）の入力がされたことも判別開始条件として記憶されている。
【００３４】
Ｃ１Ｂ：監視側開始条件判別手段（判別開始条件判別手段）
監視側開始条件判別手段Ｃ１Ｂは、レジスターの不在確認ボタンＦＫＢが入力されたことを複写機Ｐｒ１に通知するボタン入力信号を受信するボタン入力信号受信手段Ｃ１Ｂ１を有し、判別開始条件を満足したか否かを、判別条件毎に判別する。
Ｃ１Ｃ：通知条件記憶手段
通知条件記憶手段Ｃ１Ｃは、前記通知側センサＳＮ１〜ＳＮ７の検出結果に基づいて、前記ユーザに通知するか否かを判別するための通知条件を記憶する。実施例１の通知条件記憶手段Ｃ１Ｃは、前記通知条件として、図３に示す通知条件を記憶している。したがって、通知側センサとしてのプラテン原稿検出センサＳＮ１では、コピースタートキーＵＩ２の入力がされ、プラテン開閉検出センサＳＮ９が開閉を検出した後に、原稿有りの状態が所定のプラテン用通知判別時間ｔ１以上経過することが通知条件となっており、コピースタートキーＵＩ２が入力され、プラテン開閉検出センサＳＮ９の開閉後に、判別時間ｔ１が経過すると通知条件を満足する。
【００３５】
読み取り前原稿検出センサＳＮ２や読み取り後センサ検出センサＳＮ３では、コピースタートキーＵＩ２の入力がされた後に、原稿有りの状態が所定のＡＤＦ用通知判別時間ｔ２以上経過することが通知条件となっている。
排紙トレイセンサＳＮ４では、排紙トレイセンサＳＮ４により排紙トレイＴＲｈに用紙有りを検出していることが通知条件となっている。
釣り銭有無センサＳＮ５では、釣り銭有無センサＳＮ５が釣り銭有りを検出していることが通知条件となっている。
プリペイドカード有無センサＳＮ６やＩＤカード有無センサＳＮ７では、プリペイドカード有無センサＳＮ６やＩＤカード有無センサＳＮ７が、プリペイドカードやＩＤカードが挿入されていることを検出していることが通知条件となっている。
【００３６】
Ｃ１Ｄ：通知条件判別手段
通知条件判別手段Ｃ１Ｄは、前記判別開始条件を満足した場合に、前記通知条件を満足するか否かを通知側センサＳＮ１〜ＳＮ７毎に判別する。
Ｃ１Ｅ：判別時間計時手段
判別時間計時手段Ｃ１Ｅは、プラテン用判別時間計時タイマＴＭ１と、ＡＤＦ用判別時間計時タイマＴＭ２とを有し、各タイマＴＭ１，ＴＭ２により判別時間ｔ１，ｔ２を計時する。
Ｃ１Ｆ：現在時刻計時手段（内蔵時計）
現在時刻計時手段Ｃ１Ｆは、現在時刻を計測する。なお、実施例１の現在時刻計時手段Ｃ１Ｆは複写機Ｐｒ１の内蔵時計により構成されている。
【００３７】
Ｃ２：通知有無設定手段
通知有無設定手段Ｃ２は、通知有無設定テーブル記憶手段Ｃ２Ａと、センサ優先順位記憶手段Ｃ２Ｂと、通知有無設定テーブル画像表示手段Ｃ２Ｃとを有し、前記判別開始条件を満足し且つ、前記各通知側センサが前記物体を検出した場合に、ユーザに各対象物の持ち帰りを通知するか否かを設定する。
図４は実施例１の通知有無設定テーブル画像の説明図であり、図４Ａは全てのセンサ等が接続されている場合の通知有無設定テーブル画像の説明図、図４Ｂは一部のセンサが接続されていない場合の通知有無設定テーブル画像の説明図である。
Ｃ２Ａ：通知有無設定テーブル記憶手段（通知有無記憶手段、通知方法記憶手段）
通知有無設定テーブル記憶手段Ｃ２Ａは、前記判別開始条件を満足し且つ、前記各通知側センサが前記対象物を検出した場合に、ユーザに各対象物の持ち帰りを通知するか否かを記憶する。実施例１の通知有無設定テーブル記憶手段Ｃ２Ａは、前記通知するか否かについて、判別開始条件側（監視側）と通知センサ側との項目をテーブル化した通知有無設定テーブル（図４参照）を記憶する。また、実施例１の通知有無設定テーブル記憶手段Ｃ２Ａは、各通知条件を満足した場合の通知方法（実施例１では警告ランプ、メッセージ画像、または電子メール）を記憶する。
【００３８】
Ｃ２Ｂ：センサ優先順位記憶手段
センサ優先順位記憶手段Ｃ２Ｂは、複数の前記通知側センサの優先順位を記憶する。実施例１のセンサ優先順位記憶手段Ｃ２Ｂは、通知有無設定テーブルの左側の方が右側に対して優先順位が高く、同じ監視側については、上側の方が下側に対して優先順位が高いことを記憶している。
Ｃ２Ｃ：通知有無設定テーブル画像表示手段（通知有無設定画像表示手段）
通知有無設定テーブル画像表示手段Ｃ２Ｃは、前記判別開始条件を満足し且つ、前記各通知側センサが前記物体を検出した場合に、ユーザに各対象物の持ち帰りを通知するか否かを設定するための通知有無設定テーブル画像１１（通知有無設定画像、図４参照）を表示部ＵＩ１に表示する。図４において、通知有無設定テーブル画像１１は設定項目が表示された設定項目画像１２ａおよび監視側センサ等や通知側センサ等が表示された項目欄１２ｂとを有する項目表示部１２と、設定を実行するための設定実行指示画像１３（図４の「ＯＫ」アイコン参照）と、設定を取り消すための設定取り消し指示画像１４（図４の「キャンセル」アイコン参照）と、優先順位を変更するための優先順位変更画像１６と、を有する。図４において、通知有無設定テーブル画像１１が表示された表示部ＵＩ１の各項目に対応する位置を指で触れることにより、オン、オフが切り替わるように構成されており、オンオフを切り替えることで、設定を行うことができる。また、監視側の項目欄（「読取りガラス」や「出力トレイ」の欄）を選択した状態で、優先順位変更画像１６の入力をすることにより、監視側の項目欄１２ｂおよび各設定項目１２ａ全体を左側または右側に移動でき、優先順位を変更することができる。
【００３９】
Ｃ３：センサ検出手段
センサ検出手段Ｃ３は、接続されているセンサＳＮ１〜ＳＮ８や監視装置（管理者サーバＳｂやレジスター）を記憶する接続センサ記憶手段Ｃ３Ａと、各センサ等が接続された時の標準（デフォルト）の通知有無設定を記憶する通知標準設定記憶手段Ｃ３Ｂを有し、各通知側センサＳＮ１〜ＳＮ７や対人センサＳＮ８、管理者サーバＳｂ、レジスターが接続されているか否かを判別する。実施例１のセンサ検出手段Ｃ３は、複写機Ｐｒ１の電源オン時に、検出を行い、新たなセンサ等が接続された場合には、通知有無設定手段Ｃ２に標準の通知有無設定を通知して設定を行わせ、センサ等が非接続になった場合は、通知有無設定手段Ｃ２に非接続になったことを通知して設定を無効化させる（図４Ｂ参照）。
【００４０】
Ｃ４：通知手段
通知手段Ｃ４は、通知優先順位判別手段Ｃ４Ａと、通知メッセージ画像表示手段Ｃ４Ｂと、ランプ制御手段Ｃ４Ｃと、電子メール送信手段Ｃ４Ｄと、を有し、前記通知条件を満足した場合にユーザに通知を行う。
Ｃ４Ａ：通知優先順位判別手段
通知優先順位判別手段Ｃ４Ａは、複数の通知条件を満足する場合に、通知条件の優先度を判別して、通知する内容を決定する。
Ｃ４Ｂ：通知メッセージ画像表示手段
通知メッセージ画像表示手段Ｃ４Ｂは、前記通知有無設定テーブル記憶手段Ｃ２Ａに記憶された通知条件を満足した場合の通知方法が、メッセージ画像による通知である場合に、表示部ＵＩ１に通知メッセージ画像を表示する。実施例１では、前記通知メッセージ画像は、図３の通知内容が表示される。
【００４１】
Ｃ４Ｃ：ランプ制御手段
ランプ制御手段Ｃ４Ｃは、前記通知有無設定テーブル記憶手段Ｃ２Ａに記憶された通知条件を満足した場合の通知方法が、警告ランプによる通知である場合に、警告ランプＫＬを点灯させる。
Ｃ４Ｄ：電子メール送信手段
電子メール送信手段Ｃ４Ｄは、前記通知有無設定テーブル記憶手段Ｃ２Ａに記憶された通知条件を満足した場合の通知方法が、電子メールによる通知の場合には、予め登録されている電子メールアドレスに通知内容（図３参照）の電子メールを送信する。
【００４２】
ＦＬ１：第１優先監視センサ通知判別フラグ
第１優先監視センサ通知判別フラグＦＬ１は、初期値は「０００００００」であり、優先順位が第１番に設定された監視側のセンサ等の判別条件を満足し且つ、各通知条件を満足した場合に、該当する通知条件の値が「１」となり、通知条件が解消された場合に該当する通知条件の値が「０」となる。例えば、図４において、監視センサとしてのプラテン原稿検出センサＳＮ１の優先順位が第１番に設定されているので、図４に示す設定がされている場合では、第１優先監視センサ通知判別フラグＦＬ１は、プラテン原稿検出センサＳＮ１に関するフラグとして使用され、設定が変更されると、変更に応じて、優先順位が第１番のセンサに関するフラグとして使用される。そして、前記図４に示す設定がされている場合では、プラテン原稿検出センサＳＮ１の判別開始条件を満足した場合に、排出トレイＴＲｈに記録用紙を検出し（４番目の通知条件を満足し）且つ、釣り銭受けに釣り銭が検出される（５番目の通知条件を満足する）と、第１優先監視センサ通知判別フラグＦＬ１は、「０００１１００」となり、排出トレイＴＲｈに記録用紙を検出し（４番目の通知条件を満足し）且つ、プリペイドカードが検出される（６番目の通知条件を満足する）と、第１優先監視センサ通知判別フラグＦＬ１は、「０００１０１０」となる。
【００４３】
ＦＬ２〜ＤＬ１０：第２優先監視センサ通知判別フラグ〜第１０優先監視センサ判別フラグ
第２優先監視センサ通知判別フラグＦＬ２〜第１０優先監視センサ判別フラグＦＬ１０は、初期値は「０００００００」であり、優先順位が第２番〜第１０番に設定された監視側のセンサ等の判別条件を満足し且つ、各通知条件を満足した場合に、該当する通知条件の値が「１」となり、通知条件が解消された場合に該当する通知条件の値が「０」となる。
【００４４】
（実施例１のフローチャートの説明）
（プラテン原稿用判別開始条件判別処理のフローチャートの説明）
図５は実施例１の画像形成装置のプラテン原稿用判別開始条件判別処理のフローチャートである。
図５のフローチャートの各ＳＴ（ステップ）の処理は、複写機Ｐｒ１のＲＯＭやハードディスク等に記憶されたプログラムに従って行われる。また、この処理は複写機Ｐｒ１の他の各種処理と並行してマルチタスクで実行される。
図５に示すフローチャートは複写機Ｐｒ１の電源オンにより開始される。
【００４５】
図５のＳＴ１において、コピースタートキーＵＩ２の入力がされたか否かを判別する。イエス（Ｙ）の場合はＳＴ１ａに進み、ノー（Ｎ）の場合はＳＴ１を繰り返す。
ＳＴ１ａにおいて、プラテン原稿検出センサＳＮ１用のフラグ（優先順位の設定に応じてＦＬ１〜ＦＬ１０のいずれか、図４の場合は第１優先監視センサ通知判別フラグＦＬ１）の値をすべて「０」にする。そして、ＳＴ２に進む。
ＳＴ２において、プラテン原稿検出センサＳＮ１の検出結果が原稿有りであるか否かを判別する。イエス（Ｙ）の場合はＳＴ３に進み、ノー（Ｎ）の場合はＳＴ１に戻る。
ＳＴ３において、プラテン開閉検出センサＳＮ９により開放が検出されたか否かを判別する。イエス（Ｙ）の場合はＳＴ４に進み、ノー（Ｎ）の場合はＳＴ３を繰り返す。
ＳＴ４において、プラテン開閉検出センサＳＮ９により閉塞が検出されたか否かを判別する。イエス（Ｙ）の場合はＳＴ５に進み、ノー（Ｎ）の場合はＳＴ４を繰り返す。
ＳＴ５において、プラテン原稿検出センサＳＮ１の検出結果が原稿無しであるか否かを判別する。ノー（Ｎ）の場合はＳＴ６に進み、イエス（Ｙ）の場合はＳＴ７に進む。
【００４６】
ＳＴ６において、コピースタートキーＵＩ２の入力がされたか否かを判別する。イエス（Ｙ）の場合はＳＴ１ａに戻り、ノー（Ｎ）の場合はＳＴ３に戻る。
ＳＴ７において、センサ優先順位判別数ｎを１にセットする。そして、ＳＴ８に進む。
ＳＴ８において、コピースタートキーＵＩ２の入力がされたか否かを判別する。イエス（Ｙ）の場合はＳＴ１ａに戻り、ノー（Ｎ）の場合はＳＴ９に進む。
ＳＴ９において、通知側センサＳＮ１〜ＳＮ７の優先順に基づいて、ｎ番目の優先順位の第ｎ優先センサがあるか否かを判別する。イエス（Ｙ）の場合はＳＴ１０に進み、ノー（Ｎ）の場合はＳＴ７に戻る。
【００４７】
ＳＴ１０において、第ｎ優先センサの通知有無の設定がオン（通知を実行する）になっているか否かを判別する。イエス（Ｙ）の場合はＳＴ１１に進み、ノー（Ｎ）の場合はＳＴ１４に進む。
ＳＴ１１において、通知条件記憶手段Ｃ１Ｃに記憶された第ｎ優先センサの通知条件を満足するか否かを判別する。例えば、読取り前原稿検出センサＳＮ２の場合は、原稿有りの状態でＡＤＦ用通知判別時間ｔ２が経過しているか否かを判別する。イエス（Ｙ）の場合はＳＴ１２に進み、ノー（Ｎ）の場合はＳＴ１３に進む。
ＳＴ１２において、プラテン原稿検出センサＳＮ１の監視側の優先順位に応じた優先監視センサ通知判別フラグ（ＦＬ１〜ＦＬ１０のいずれか）の、該当する優先センサの値を「１」にする。例えば、図４の設定がされている場合に、優先順位が２番目の読取り前原稿検出センサＳＮ２が原稿有りの状態でＡＤＦ用通知判別時間ｔ２が経過した場合には、第１優先監視センサＦＬ１の左から２桁目を「１」にする。そして、ＳＴ１４に進む。
ＳＴ１３において、プラテン原稿検出センサＳＮ１の監視側の優先順位に応じた優先監視センサ通知判別フラグ（ＦＬ１〜ＦＬ１０のいずれか）の、該当する優先センサの値を「０」にする。そして、ＳＴ１４に進む。
ＳＴ１４において、センサ優先順位判別数ｎを１加算する。すなわち、ｎ＝ｎ＋１とする。そして、ＳＴ８に戻る。
【００４８】
（ＡＤＦ用判別開始条件判別処理のフローチャートの説明）
図６は実施例１の画像形成装置のＡＤＦ判別開始条件判別処理のフローチャートである。
図６のフローチャートの各ＳＴ（ステップ）の処理は、複写機Ｐｒ１のＲＯＭやハードディスク等に記憶されたプログラムに従って行われる。また、この処理は複写機Ｐｒ１の他の各種処理と並行してマルチタスクで実行される。なお、実施例１では、図６で説明する読取り前原稿検出センサＳＮ２に関する判別開始条件判別処理と、読取り後原稿検出センサＳＮ３に関する判別開始条件判別処理とは同様であり且つ並行して実行されるため、読取り前原稿検出センサＳＮ２に関する判別開始条件判別処理に関してのみ説明を行い、読取り後原稿検出センサＳＮ３に関する判別開始条件判別処理の説明は省略する。
図６に示すフローチャートは複写機Ｐｒ１の電源オンにより開始される。
【００４９】
図６の読取り前原稿検出センサＳＮ２に関する判別開始条件判別処理では、図５のプラテン原稿用判別開始条件判別処理のＳＴ１〜ＳＴ６に換えて、ＳＴ２１〜ＳＴ２４を実行する。
ＳＴ２１において、コピースタートキーＵＩ２の入力がされたか否かを判別する。イエス（Ｙ）の場合はＳＴ２１ａに進み、ノー（Ｎ）の場合はＳＴ２１を繰り返す。
ＳＴ２１ａにおいて、読取り前原稿検出センサＳＮ２用のフラグ（優先順位の設定に応じてＦＬ１〜ＦＬ１０のいずれか、図４の場合は第２優先監視センサ通知判別フラグＦＬ２）の値をすべて「０」にする。そして、ＳＴ２２に進む。
ＳＴ２２において、読取り前原稿検出センサＳＮ２の検出結果が原稿有りであるか否かを判別する。イエス（Ｙ）の場合はＳＴ２３に進み、ノー（Ｎ）の場合はＳＴ１に戻る。
ＳＴ２３において、読取り前原稿検出センサＳＮ２の検出結果が原稿無しであるか否かを判別する。ノー（Ｎ）の場合はＳＴ２４に進み、イエス（Ｙ）の場合はＳＴ７に進む。
ＳＴ２４において、コピースタートキーＵＩ２の入力がされたか否かを判別する。イエス（Ｙ）の場合はＳＴ２１ａに戻り、ノー（Ｎ）の場合はＳＴ２３に戻る。
次に、プラテン原稿用判別開始条件判別処理のＳＴ７〜ＳＴ１４と同様の処理を実行する。
【００５０】
（排紙トレイセンサの判別開始条件判別処理のフローチャートの説明）
図７は実施例１の画像形成装置の排紙トレイセンサの判別開始条件判別処理のフローチャートである。
図７のフローチャートの各ＳＴ（ステップ）の処理は、複写機Ｐｒ１のＲＯＭやハードディスク等に記憶されたプログラムに従って行われる。また、この処理は複写機Ｐｒ１の他の各種処理と並行してマルチタスクで実行される。
図７に示すフローチャートは複写機Ｐｒ１の電源オンにより開始される。
【００５１】
図７の排紙トレイセンサＳＮ４の判別開始条件判別処理では、図５のプラテン原稿用判別開始条件判別処理のＳＴ１〜ＳＴ５に換えて、ＳＴ３１およびＳＴ３２を実行し、ＳＴ８に換えてＳＴ３３を実行する。
ＳＴ３１において、排紙トレイセンサＳＮ４が印刷用紙有りを検出したか否かを判別する。イエス（Ｙ）の場合はＳＴ３１ａに進み、ノー（Ｎ）の場合はＳＴ３１を繰り返す。
ＳＴ３１ａにおいて、排紙トレイセンサＳＮ４用のフラグ（優先順位の設定に応じてＦＬ１〜ＦＬ１０のいずれか、図４の場合は第４優先監視センサ通知判別フラグＦＬ４）の値をすべて「０」にする。そして、ＳＴ３２に進む。
ＳＴ３２において、排紙トレイセンサＳＮ４が印刷用紙無しを検出したか否かを判別する。イエス（Ｙ）の場合はＳＴ７に進み、ノー（Ｎ）の場合はＳＴ３２を繰り返す。
次に、ＳＴ７の処理を実行して、ＳＴ３３に進む。
ＳＴ３３において、排紙トレイセンサＳＮ４が印刷用紙有りを検出したか否かを判別する。イエス（Ｙ）の場合はＳＴ３１ａに戻り、ノー（Ｎ）の場合はＳＴ９に進む。
【００５２】
（釣り銭有無センサの判別開始条件判別処理のフローチャートの説明）
図８は実施例１の画像形成装置の釣り銭有無センサの判別開始条件判別処理のフローチャートである。
図８のフローチャートの各ＳＴ（ステップ）の処理は、複写機Ｐｒ１のＲＯＭやハードディスク等に記憶されたプログラムに従って行われる。また、この処理は複写機Ｐｒ１の他の各種処理と並行してマルチタスクで実行される。
図８に示すフローチャートは複写機Ｐｒ１の電源オンにより開始される。
【００５３】
図８の釣り銭有無センサＳＮ５の判別開始条件判別処理では、図５のプラテン原稿用判別開始条件判別処理のＳＴ１〜ＳＴ５に換えて、ＳＴ４１およびＳＴ４２を実行し、ＳＴ８に換えてＳＴ４３を実行する。
ＳＴ４１において、釣り銭有無センサＳＮ５が釣り銭有りを検出したか否かを判別する。イエス（Ｙ）の場合はＳＴ４１ａに進み、ノー（Ｎ）の場合はＳＴ４１を繰り返す。
ＳＴ４１ａにおいて、釣り銭有無センサＳＮ５用のフラグ（優先順位の設定に応じてＦＬ１〜ＦＬ１０のいずれか、図４の場合は第５優先監視センサ通知判別フラグＦＬ５）の値をすべて「０」にする。そして、ＳＴ４２に進む。
ＳＴ４２において、釣り銭有無センサＳＮ５が釣り銭無しを検出したか否かを判別する。イエス（Ｙ）の場合はＳＴ７に進み、ノー（Ｎ）の場合はＳＴ４２を繰り返す。
次に、ＳＴ７の処理を実行して、ＳＴ４３に進む。
ＳＴ４３において、釣り銭有無センサＳＮ５が釣り銭有りを検出したか否かを判別する。イエス（Ｙ）の場合はＳＴ４１ａに戻り、ノー（Ｎ）の場合はＳＴ９に進む。
【００５４】
（プリペイドカード有無センサやＩＤカード有無センサの判別開始条件判別処理のフローチャートの説明）
図９は実施例１の画像形成装置のカード有無センサの判別開始条件判別処理のフローチャートである。
図９のフローチャートの各ＳＴ（ステップ）の処理は、複写機Ｐｒ１のＲＯＭやハードディスク等に記憶されたプログラムに従って行われる。また、この処理は複写機Ｐｒ１の他の各種処理と並行してマルチタスクで実行される。なお、実施例１では、図９で説明するプリペイドカード有無センサＳＮ６に関する判別開始条件判別処理と、読取りＩＤカード有無センサＳＮ７に関する判別開始条件判別処理とは同様であり且つ並行して実行されるため、プリペイドカード有無センサＳＮ６に関する判別開始条件判別処理についてのみ説明を行い、ＩＤカード有無センサＳＮ７に関する判別開始条件判別処理の説明は省略する。
図９に示すフローチャートは複写機Ｐｒ１の電源オンにより開始される。
【００５５】
図９のプリペイドカード有無センサＳＮ６の判別開始条件判別処理では、図５のプラテン原稿用判別開始条件判別処理のＳＴ１〜ＳＴ５に換えて、ＳＴ５１およびＳＴ５２を実行し、ＳＴ８に換えてＳＴ５３を実行する。
ＳＴ５１において、プリペイドカード有無センサＳＮ６がカード有りを検出したか否かを判別する。イエス（Ｙ）の場合はＳＴ５１ａに進み、ノー（Ｎ）の場合はＳＴ５１を繰り返す。
ＳＴ５１ａにおいて、プリペイドカード有無センサＳＮ６用のフラグ（優先順位の設定に応じてＦＬ１〜ＦＬ１０のいずれか、図４の場合は第６優先監視センサ通知判別フラグＦＬ６）の値をすべて「０」にする。そして、ＳＴ５２に進む。
ＳＴ５２において、プリペイドカード有無センサＳＮ６がカード無しを検出したか否かを判別する。イエス（Ｙ）の場合はＳＴ７に進み、ノー（Ｎ）の場合はＳＴ５２を繰り返す。
次に、ＳＴ７の処理を実行して、ＳＴ５３に進む。
ＳＴ５３において、プリペイドカード有無センサＳＮ６がカード有りを検出したか否かを判別する。イエス（Ｙ）の場合はＳＴ５１ａに戻り、ノー（Ｎ）の場合はＳＴ９に進む。
【００５６】
（対人センサの判別開始条件判別処理のフローチャートの説明）
図１０は実施例１の画像形成装置の対人センサの判別開始条件判別処理のフローチャートである。
図１０のフローチャートの各ＳＴ（ステップ）の処理は、複写機Ｐｒ１のＲＯＭやハードディスク等に記憶されたプログラムに従って行われる。また、この処理は複写機Ｐｒ１の他の各種処理と並行してマルチタスクで実行される。
図１０に示すフローチャートは複写機Ｐｒ１の電源オンにより開始される。
【００５７】
図１０の対人センサＳＮ８の判別開始条件判別処理では、図５のプラテン原稿用判別開始条件判別処理のＳＴ１〜ＳＴ５に換えて、ＳＴ６１およびＳＴ６２を実行し、ＳＴ８に換えてＳＴ６３を実行する。
ＳＴ６１において、対人センサＳＮ８が人を検出したか否かを判別する。イエス（Ｙ）の場合はＳＴ６１ａに進み、ノー（Ｎ）の場合はＳＴ６１を繰り返す。
ＳＴ６１ａにおいて、対人センサＳＮ８用のフラグ（優先順位の設定に応じてＦＬ１〜ＦＬ１０のいずれか、図４の場合は第８優先監視センサ通知判別フラグＦＬ８）の値をすべて「０」にする。そして、ＳＴ６２に進む。
ＳＴ６２において、対人センサＳＮ８が人を検出しなくなったか否かを判別する。イエス（Ｙ）の場合はＳＴ７に進み、ノー（Ｎ）の場合はＳＴ６２を繰り返す。
次に、ＳＴ７の処理を実行して、ＳＴ６３に進む。
ＳＴ６３において、対人センサＳＮ８が人を検出したか否かを判別する。イエス（Ｙ）の場合はＳＴ６１ａに戻り、ノー（Ｎ）の場合はＳＴ９に進む。
【００５８】
（利用時間による判別開始条件判別処理のフローチャートの説明）
図１１は実施例１の画像形成装置の利用時間による判別開始条件判別処理のフローチャートである。
図１１のフローチャートの各ＳＴ（ステップ）の処理は、複写機Ｐｒ１のＲＯＭやハードディスク等に記憶されたプログラムに従って行われる。また、この処理は複写機Ｐｒ１の他の各種処理と並行してマルチタスクで実行される。
図１１に示すフローチャートは複写機Ｐｒ１の電源オンにより開始される。
【００５９】
図１１の利用時間による判別開始条件判別処理では、図５のプラテン原稿用判別開始条件判別処理のＳＴ１〜ＳＴ５に換えて、ＳＴ７０〜ＳＴ７１を実行し、ＳＴ８に換えてＳＴ７２を実行する。
ＳＴ７０は、利用時間外判別用のフラグ（優先順位の設定に応じてＦＬ１〜ＦＬ１０のいずれか、図４の場合は第９優先監視センサ通知判別フラグＦＬ９）の値をすべて「０」にする。そして、ＳＴ７１に進む。
ＳＴ７１において、現在時刻計時手段（内蔵時計）Ｃ１Ｆによる現在時刻が利用時間外（２０：００〜６：００）であるか否かを判別する。イエス（Ｙ）の場合はＳＴ７に進み、ノー（Ｎ）の場合はＳＴ７１を繰り返す。
次に、ＳＴ７の処理を実行して、ＳＴ７２に進む。
ＳＴ７２において、現在時刻計時手段（内蔵時計）Ｃ１Ｆによる現在時刻が利用時間内（６：００〜２０：００）であるか否かを判別する。イエス（Ｙ）の場合はＳＴ７０に戻り、ノー（Ｎ）の場合はＳＴ９に進む。
【００６０】
（不在確認ボタンによる判別開始条件判別処理のフローチャートの説明）
図１２は実施例１のレジスターの不在確認ボタンによる判別開始条件判別処理のフローチャートである。
図１２のフローチャートの各ＳＴ（ステップ）の処理は、複写機Ｐｒ１のＲＯＭやハードディスク等に記憶されたプログラムに従って行われる。また、この処理は複写機Ｐｒ１の他の各種処理と並行してマルチタスクで実行される。
図１２に示すフローチャートは複写機Ｐｒ１の電源オンにより開始される。
【００６１】
図１２の不在確認ボタンＦＫＢによる判別開始条件判別処理では、図５のプラテン原稿用判別開始条件判別処理のＳＴ１〜ＳＴ５に換えて、ＳＴ８０、ＳＴ８１が実行され、ＳＴ８が省略されている。そして、図１２の不在確認ボタンＦＫＢによる判別開始条件判別処理では、ＳＴ９においてノー（Ｎ）の場合はＳＴ８０に戻る。
ＳＴ８０において、不在確認ボタンＦＫＢ用のフラグ（優先順位の設定に応じてＦＬ１〜ＦＬ１０のいずれか、図４の場合は第１０優先監視センサ通知判別フラグＦＬ１０）の値をすべて「０」にする。そして、ＳＴ８１に進む。
ＳＴ８１において、レジスターの不在確認ボタンＦＫＢの入力がされたか否か、すなわち、ボタン入力信号を受信したか否かを判別する。イエス（Ｙ）の場合はＳＴ７に進む。
【００６２】
（プラテン用判別時間計時処理のフローチャートの説明）
図１３は実施例１のプラテン用判別時間計時処理のフローチャートである。
図１３のフローチャートの各ＳＴ（ステップ）の処理は、複写機Ｐｒ１のＲＯＭやハードディスク等に記憶されたプログラムに従って行われる。また、この処理は複写機Ｐｒ１の他の各種処理と並行してマルチタスクで実行される。
図１３に示すプラテン用判別時間計時処理は、通知側センサとしてのプラテン原稿検出センサＳＮ１の通知条件を満足するか否かを判別する際に使用するプラテン用判別時間ｔ１の経過を計時する処理であり、図１３に示すプラテン用判別時間計時処理のフローチャートは複写機Ｐｒ１の電源オンにより開始される。
【００６３】
図１３のＳＴ９１において、コピースタートキーＵＩ２の入力がされたか否かを判別する。イエス（Ｙ）の場合はＳＴ９２に進み、ノー（Ｎ）の場合はＳＴ９１を繰り返す。
ＳＴ９２において、プラテン開閉検出センサＳＮ９により開放が検出されたか否かを判別する。イエス（Ｙ）の場合はＳＴ９３に進み、ノー（Ｎ）の場合はＳＴ９２を繰り返す。
ＳＴ９３において、プラテン開閉検出センサＳＮ９により閉塞が検出されたか否かを判別する。イエス（Ｙ）の場合はＳＴ９４に進み、ノー（Ｎ）の場合はＳＴ９３を繰り返す。
【００６４】
ＳＴ９４において、プラテン用判別時間計時タイマＴＭ１によるプラテン用判別時間ｔ１の計時を開始する。そして、ＳＴ９５に進む。
ＳＴ９５において、プラテン原稿検出センサＳＮ１の検出結果が原稿無しであるか否かを判別する。イエス（Ｙ）の場合はＳＴ９６に進み、ノー（Ｎ）の場合はＳＴ９５を繰り返す。
ＳＴ９６において、プラテン用判別時間計時タイマＴＭ１を停止して、計時を停止する。そして、ＳＴ９１に戻る。
【００６５】
（ＡＤＦ用判別時間計時処理のフローチャートの説明）
図１４は実施例１のＡＤＦ用判別時間計時処理のフローチャートである。
図１４のフローチャートの各ＳＴ（ステップ）の処理は、複写機Ｐｒ１のＲＯＭやハードディスク等に記憶されたプログラムに従って行われる。また、この処理は複写機Ｐｒ１の他の各種処理と並行してマルチタスクで実行される。
図１４に示すＡＤＦ用判別時間計時処理は、通知側センサとしての読み取り前原稿検出センサＳＮ２または読み取り後センサ検出センサＳＮ３の通知条件を満足するか否かを判別する際に使用するＡＤＦ用判別時間ｔ２の経過を計時する処理であり、図１４に示すＡＤＦ用判別時間計時処理のフローチャートは複写機Ｐｒ１の電源オンにより開始される。
【００６６】
図１４のＳＴ１０１において、コピースタートキーＵＩ２の入力がされたか否かを判別する。イエス（Ｙ）の場合はＳＴ１０２に進み、ノー（Ｎ）の場合はＳＴ１０１を繰り返す。
ＳＴ１０２において、ＡＤＦ用判別時間計時タイマＴＭ２によるＡＤＦ用判別時間ｔ２の計時を開始する。そして、ＳＴ１０３に進む。
ＳＴ１０３において、読み取り前原稿検出センサＳＮ２および読み取り後センサ検出センサＳＮ３の検出結果が原稿無しであるか否かを判別する。イエス（Ｙ）の場合はＳＴ１０４に進み、ノー（Ｎ）の場合はＳＴ１０３を繰り返す。
ＳＴ１０４において、ＡＤＦ用判別時間計時タイマＴＭ２を停止して、計時を停止する。そして、ＳＴ１０１に戻る。
【００６７】
（通知処理のフローチャートの説明）
図１５は実施例１の通知処理のフローチャートである。
図１５のフローチャートの各ＳＴ（ステップ）の処理は、複写機Ｐｒ１のＲＯＭやハードディスク等に記憶されたプログラムに従って行われる。また、この処理は複写機Ｐｒ１の他の各種処理と並行してマルチタスクで実行される。
図１５に示す通知処理のフローチャートは複写機Ｐｒ１の電源オンにより開始される。
【００６８】
図１５のＳＴ１１１において、第１優先監視センサ通知判別フラグＦＬ１〜第１０優先監視センサ通知判別フラグＦＬ１０の各値の中に１つでも「１」のフラグがあるか否かを判別する。イエス（Ｙ）の場合はＳＴ１１２に進み、ノー（Ｎ）の場合はＳＴ１１１を繰り返す。
ＳＴ１１２において、通知判別フラグＦＬ１〜ＦＬ１０の各値に「１」が複数あるか否かを判別する。ノー（Ｎ）の場合はＳＴ１１３に進み、イエス（Ｙ）の場合はＳＴ１１４に進む。
ＳＴ１１３において、通知判別フラグＦＬ１〜ＦＬ１０の該当する値の通知内容を、設定された通知方法（画像表示、警告ランプ点灯またはメール送信）で通知する。そして、ＳＴ１１５に進む。
ＳＴ１１４において、通知判別フラグＦＬ１〜ＦＬ１０の優先順位および各フラグ内の優先順位の中で、最も優先順位の高い通知内容を、設定された通知方法（画像表示、警告ランプ点灯またはメール送信）で通知する。なお、優先順位は前記通知有無設定テーブルで設定されている優先順位に基づいて判別され、通知判別フラグＦＬ１〜ＦＬ１０でフラグの番号が小さい番号のほうが優先順位が高く、各通知判別フラグＦＬ１〜ＦＬ１０の値で、桁の左側の方が優先順位が高いものと判別される。例えば、ＦＬ１とＦＬ３ではＦＬ１のほうが優先順位が高く、第１優先監視センサ通知判別フラグＦＬ１が、「０００１０１０」の場合、４番目と６番目の通知条件を満足しているので、４番目の通知条件のほうが優先順位が高いと判別される。そして、ＳＴ１１５に進む。
【００６９】
ＳＴ１１５において、通知中の通知判別フラグＦＬ１〜ＦＬ１０の値が「０」になったか否かを判別する。ノー（Ｎ）の場合はＳＴ１１６に進み、イエス（Ｙ）の場合はＳＴ１１８に進む。
ＳＴ１１６において、新たに値が「１」になった通知判別フラグＦＬ１〜ＦＬ１０があるか否かを判別する。イエス（Ｙ）の場合はＳＴ１１７に進み、ノー（Ｎ）の場合はＳＴ１１５に戻る。
ＳＴ１１７において、新たに値が「１」になった通知判別フラグＦＬ１〜ＦＬ１０の値は、現在通知中の値よりも優先順位が高いか否かを判別する。イエス（Ｙ）の場合はＳＴ１１４に戻り、ノー（Ｎ）の場合はＳＴ１１５に戻る。
ＳＴ１１８において、通知を終了し、ＳＴ１１１に戻る。
【００７０】
（通知有無設定処理のフローチャートの説明）
図１６は実施例１の通知有無設定処理のフローチャートである。
図１６のフローチャートの各ＳＴ（ステップ）の処理は、複写機Ｐｒ１のＲＯＭやハードディスク等に記憶されたプログラムに従って行われる。また、この処理は複写機Ｐｒ１の他の各種処理と並行してマルチタスクで実行される。
図１６に示す通知有無設定処理のフローチャートは複写機Ｐｒ１の電源オンにより開始される。
【００７１】
図１６のＳＴ１２１において、通知有無設定キーＵＩ４の入力がされたか否かを判別する。イエス（Ｙ）の場合はＳＴ１２２に進み、ノー（Ｎ）の場合はＳＴ１２１を繰り返す。
ＳＴ１２２において、通知有無設定テーブル画像１１（図４参照）を表示部ＵＩ１に表示する。そして、ＳＴ１２３に進む。
ＳＴ１２３において、通知有無設定テーブル画像１１の各設定項目画像１２ａを選択する入力がされてか否かを判別する。イエス（Ｙ）の場合はＳＴ１２４に進み、ノー（Ｎ）の場合はＳＴ１２５に進む。
ＳＴ１２４において、次の処理（１）、（２）を実行し、ＳＴ１２３に戻る。
（１）入力された設定項目のオン、オフの設定を逆に変換して、変換後の設定内容を一時記憶する。
（２）入力に応じて、通知有無設定テーブル画像１１を更新する。
【００７２】
ＳＴ１２５において、各項目欄１２ｂを選択する入力がされたか否かを判別する。イエス（Ｙ）の場合はＳＴ１２６に進み、ノー（Ｎ）の場合はＳＴ１２７に進む。
ＳＴ１２６において、入力に応じて項目欄１２ｂの画像を更新する。すなわち、選択状態であることを示す反転表示を行う。そして、ＳＴ１２３に戻る。
ＳＴ１２７において、優先順位を変更するための優先順位変更画像１６を選択する入力がされたか否かを判別する。イエス（Ｙ）の場合はＳＴ１２８に進み、ノー（Ｎ）の場合はＳＴ１２９に進む。
ＳＴ１２８において、次の処理（１）、（２）を実行して、ＳＴ１２３に戻る。
（１）入力に応じて変更された優先順位を一時記憶する。
（２）入力に応じて、通知有無設定テーブル画像１１を更新する。
【００７３】
ＳＴ１２９において、設定実行指示画像１３（図４の「ＯＫ」アイコン参照）を選択する入力がされたか否かを判別する。イエス（Ｙ）の場合はＳＴ１３０に進み、ノー（Ｎ）の場合はＳＴ１３１に進む。
ＳＴ１３０において、通知有無の設定内容を、一時記憶された内容に更新する。そして、ＳＴ１２１に戻る。
ＳＴ１３１において、設定取り消し指示画像１４（図４の「キャンセル」アイコン参照）を選択する入力がされたか否かを判別する。イエス（Ｙ）の場合はＳＴ１３２に進み、ノー（Ｎ）の場合はＳＴ１２３に戻る。
ＳＴ１３２において、一時記憶した内容を破棄する。そして、ＳＴ１２１に戻る。
【００７４】
（センサ検出処理のフローチャートの説明）
図１７は実施例１のセンサ検出処理のフローチャートである。
図１７のフローチャートの各ＳＴ（ステップ）の処理は、複写機Ｐｒ１のＲＯＭやハードディスク等に記憶されたプログラムに従って行われる。また、この処理は複写機Ｐｒ１の他の各種処理と並行してマルチタスクで実行される。
図１７に示すセンサ検出処理のフローチャートは複写機Ｐｒ１の電源オンにより開始される。
【００７５】
図１７のＳＴ１４１において、複写機Ｐｒ１に接続されている全ての監視側センサおよび監視装置（管理者サーバＳｂ等）を検出する。そして、ＳＴ１４２に進む。
ＳＴ１４２において、検出されたセンサ等と、接続センサ記憶手段Ｃ３Ａに記憶された内容とを対比して、新たに接続されたセンサがあるか否かを判別する。イエス（Ｙ）の場合はＳＴ１４３に進み、ノー（Ｎ）の場合はＳＴ１４４に進む。
ＳＴ１４３において、次の処理（１）、（２）を実行して、図１７のセンサ検出処理を終了する。
（１）新センサ等の監視側設定をデフォルト（標準）の設定で有効にする。
（２）新センサ等の通知側の設定をデフォルトの設定で有効にする。
【００７６】
ＳＴ１４４において、検出されたセンサ等と、接続センサ記憶手段Ｃ３Ａに記憶された内容とを対比して、取り外されたセンサ等があるか否かを判別する。イエス（Ｙ）の場合はＳＴ１４５に進み、ノー（Ｎ）の場合は図１７のセンサ検出処理を終了する。
ＳＴ１４５において、次の処理（１）、（２）を実行し、図１７のセンサ検出処理を終了する。
（１）取り外されたセンサの監視側設定を未接続に設定して、無効化する。
（２）取り外されたセンサの通知側設定を未接続に設定して、無効化する。
【００７７】
（実施例１の作用）
前記構成を備えた実施例１の複写機Ｐｒ１では、監視センサＳＮ１〜ＳＮ８や利用時間、不在確認ボタンＦＫＢの入力等により、判別開始条件を満足した場合に、通知側センサＳＮ１〜ＳＮ７の検出状態を判別する。そして、通知条件を満足した場合には、警告ランプＫＬや通知メッセージ画像等により通知が行われる。
例えば、図４において、排紙トレイセンサＳＮ４が用紙無しを検出して判別開始条件を満足した場合に、プラテン原稿検出センサＳＮ１が原稿を検出して通知条件を満足した場合には、メッセージ画像によりユーザに通知が行われる。したがって、コピー作業後に、コピーされた印刷用紙だけ排紙トレイＴＲｈから取り出して、プラテンガラス上の原稿を忘れそうになっても、ユーザに通知される。逆に、プラテン原稿検出センサＳＮ１が原稿無しを検出して判別開始条件を満足した場合に、排紙トレイセンサＳＮ４が用紙有りを検出して通知条件を満足した場合にも、メッセージ画像によりユーザに通知が行われる。さらに、対人センサＳＮ８が人を検出しなくなることにより判別開始条件を満足した場合に、その他のセンサＳＮ１〜ＳＮ７が検出していた場合には、ユーザが原稿や印刷用紙、釣り銭、カード等を取り忘れたまま複写機Ｐｒ１から離れようとしているので、警告ランプが点灯することによりユーザに通知が行われる。
この結果、ユーザが原稿や印刷された印刷用紙、釣り銭、プリペイドカード、ＩＤカード等を持ち帰り忘れることを低減することができる。
【００７８】
また、実施例１の複写機Ｐｒ１では、優先順位が設定されているので、例えば、図４において、排紙トレイセンサＳＮ４が用紙無しを検出して判別開始条件を満足した場合に、プラテン原稿検出センサＳＮ１が原稿を検出して通知条件を満足し且つ釣り銭有無センサＳＮ５が釣り銭を検出して通知条件を満足している場合には、優先順位の高い原稿を取り忘れていることがメッセージ画像として告知される。そして、原稿が取り除かれて、プラテン原稿検出センサＳＮ１の通知条件が解消されると、釣り銭を取り忘れていることが通知される。したがって、通知される順番にしたがって、原稿等を取り出すことにより持ち帰り忘れを減らすことができる。
さらに、通知の有無や優先順位を設定することができるので、よく持ち帰り忘れられているもの等の利用環境に合わせて適切に設定することができる。また、ＡＤＦを使用した場合にプラテンガラス上に原稿を載置することは考えにくいので、ＡＤＦに原稿が有り且つプラテンガラス上に原稿があるといった場合の通知条件の判別をオフにすることができる（図４参照）。
【００７９】
また、実施例１の複写機Ｐｒ１では、各センサＳＮ１〜ＳＮ８や監視装置を自動的に検出して、接続時には自動的に標準設定で有効化され、取外し時には未接続に設定される。この結果、店舗やコンビニエンスストア、オフィス、自宅、来客用等の利用環境に応じて、各センサがある場合やない場合に、それぞれの利用環境に応じたシステムを開発する必要が無く、汎用的に使用することができる。この結果、個別にシステムを開発する手間やコストを削減することができる。
【００８０】
（変更例）
以上、本発明の実施例を詳述したが、本発明は、前記実施例に限定されるものではなく、特許請求の範囲に記載された本発明の要旨の範囲内で、種々の変更を行うことが可能である。本発明の変更例（Ｈ01）〜（Ｈ07）を下記に例示する。
（Ｈ01）前記実施例において、通知方法として、メッセージ画像、警告ランプ、電子メールを例示したがこれに限定されず、警告ブザーや音声ガイダンス等任意の通知方法を採用可能である。また、通知方法は画像やランプ等の１つの通知方法に限定されず、これらを組み合わせることも可能である。
【００８１】
（Ｈ02）前記実施例において、新たなセンサ等が着脱された場合に自動的に標準設定が適用されるように構成したが、これに限定されず、新たなセンサが着脱された時に、手動で設定を行うように催告する画像を表示することも可能である。
（Ｈ03）前記実施例において、通知有無設定の記憶方法として、通知有無設定テーブルを記憶したが、テーブルに限定されず、任意の方法で記憶することも可能である。
（Ｈ04）前記実施例において、センサや監視装置は、例示したものに限定されず、任意のセンサや監視装置（例えば、プリンタサーバ等）を採用可能であり、例えば、手差し給紙トレイに印刷用紙が残っていないか否かに基づいて通知条件や判別開始条件の判別を行うことも可能である。
【００８２】
（Ｈ05）前記実施例において、画像形成装置として複写機Ｐｒ１を例示したが、これに限定されず、プリンタ、ＦＡＸあるいは各機能の全てまたは複数を備えた複写機とすることも可能である。
（Ｈ06）前記実施例において、優先順位の高いものについて通知を行ったが、これに限定されず、通知すべき内容を箇条書き等で表示して一度に全て通知するように構成することも可能である。
（Ｈ07）前記実施例において、センサＳＮ１〜ＳＮ７は監視側兼通知側のセンサとして使用したが、これに限定されず、一つまたは複数のセンサを監視側のセンサまたは通知側のセンサから除外することも可能である。また、これをユーザが設定可能とすることも可能である。
【図面の簡単な説明】
【００８３】
【図１】図１は本発明の実施例１の画像形成装置の全体説明図である。
【図２】図２は、実施例１の画像形成装置、レジスター、管理者サーバの制御部分が備えている各機能をブロック図（機能ブロック図）で示した図である。
【図３】図３は実施例１の監視側判別開始条件と、通知側通知条件と、通知内容の一覧説明図である。
【図４】図４は実施例１の通知有無設定テーブル画像の説明図であり、図４Ａは全てのセンサ等が接続されている場合の通知有無設定テーブル画像の説明図、図４Ｂは一部のセンサが接続されていない場合の通知有無設定テーブル画像の説明図である。
【図５】図５は実施例１の画像形成装置のプラテン原稿用判別開始条件判別処理のフローチャートである。
【図６】図６は実施例１の画像形成装置のＡＤＦ判別開始条件判別処理のフローチャートである。
【図７】図７は実施例１の画像形成装置の排紙トレイセンサの判別開始条件判別処理のフローチャートである。
【図８】図８は実施例１の画像形成装置の釣り銭有無センサの判別開始条件判別処理のフローチャートである。
【図９】図９は実施例１の画像形成装置のカード有無センサの判別開始条件判別処理のフローチャートである。
【図１０】図１０は実施例１の画像形成装置の対人センサの判別開始条件判別処理のフローチャートである。
【図１１】図１１は実施例１の画像形成装置の利用時間による判別開始条件判別処理のフローチャートである。
【図１２】図１２は実施例１のレジスターの不在確認ボタンによる判別開始条件判別処理のフローチャートである。
【図１３】図１３は実施例１のプラテン用判別時間計時処理のフローチャートである。
【図１４】図１４は実施例１のＡＤＦ用判別時間計時処理のフローチャートである。
【図１５】図１５は実施例１の通知処理のフローチャートである。
【図１６】図１６は実施例１の通知有無設定処理のフローチャートである。
【図１７】図１７は実施例１のセンサ検出処理のフローチャートである。
【符号の説明】
【００８４】
Ｃ１Ａ…判別開始条件記憶手段、
Ｃ１Ｂ…判別開始条件判別手段、
Ｃ１Ｃ…通知条件記憶手段、
Ｃ１Ｄ…通知条件判別手段、
Ｃ２…通知有無設定手段、
Ｃ２Ａ…通知有無記憶手段、
Ｃ２Ｂ…優先順位記憶手段、
Ｃ３…センサ検出手段、
Ｃ３Ｂ…通知標準設定記憶手段、
Ｃ４…通知手段、
ＫＬ…警告ランプ、
Ｎ…ネットワーク、
Ｐｒ１…画像形成装置、
Ｓｂ…情報処理装置、
ＳＮ１〜ＳＮ７…通知側センサ、
ＳＮ１〜ＳＮ８…監視側センサ、
ＵＩ１…情報表示画面。
【図１】
2007171585.tif 000003
【図２】
2007171585.tif 000004
【図３】
2007171585.tif 000005
【図４】
2007171585.tif 000006
【図５】
2007171585.tif 000007
【図６】
2007171585.tif 000008
【図７】
2007171585.tif 000009
【図８】
2007171585.tif 000010
【図９】
2007171585.tif 000011
【図１０】
2007171585.tif 000012
【図１１】
2007171585.tif 000013
【図１２】
2007171585.tif 000014
【図１３】
2007171585.tif 000015
【図１４】
2007171585.tif 000016
【図１５】
2007171585.tif 000017
【図１６】
2007171585.tif 000018
【図１７】
2007171585.tif 000019